(57)【特許請求の範囲】
【請求項１】
室内機本体と、
この本体に設けられ、室内空気を吸い込む吸い込み口、及び室内熱交換器で熱交換された空気を室内へ吹き出す吹き出し口と、
この吹き出し口に設けられ、該吹き出し口から室内へ吹き出される空気を上下方向で異なる方向に送風可能にする上下風向変更装置と、
この上下風向変更装置を駆動する駆動装置と、
暖房運転開始時に前記吹き出し口室内へ吹き出される空気を前記吸い込み口に向けて送り出すように前記上下風向変更装置を前記駆動装置により駆動しショートサイクルを形成する制御手段と、を備え、
暖房運転開始直後は、前記吹き出し口から室内への送風を停止し、前記室内熱交換器の温度が所定温度Ｔａに達した時点から前記吹き出し口から室内への送風を開始して前記ショートサイクルを形成することを特徴とする壁掛け式空気調和機。
【請求項２】
前記上下風向変更装置は、可動可能なベーンを有することを特徴とする請求項１記載の壁掛け式空気調和機。
【請求項３】
室内機本体と、
この本体に設けられ、室内空気を吸い込む吸い込み口、及び室内熱交換器で熱交換された空気を室内へ吹き出す吹き出し口と、
この吹き出し口に設けられ、該吹き出し口から室内へ吹き出される空気を上下方向で異なる方向に送風可能にする少なくとも２枚の可動可能なベーンを有する上下風向変更装置と、
この上下風向変更装置を駆動する駆動装置と、
暖房運転開始時に前記吹き出し口室内へ吹き出される空気の一部を前記吸い込み口に向けて送り出すように前記上下風向変更装置を前記駆動装置により駆動しショートサイクルを形成する制御手段と、を備え、
暖房運転開始直後は、前記吹き出し口から室内への送風を停止し、前記室内熱交換器の温度が所定温度Ｔａに達した時点から前記吹き出し口から室内への送風を開始して前記ショートサイクルを形成することを特徴とする壁掛け式空気調和機。
【請求項４】
少なくとも１枚のベーンの風向角度をショートサイクルを形成する角度に設定し、他のベーンを下吹きとなる角度に設定することを特徴とする請求項３記載の壁掛け式空気調和機。
【請求項５】
前記ショートサイクル形成後、前記室内熱交換器の温度が所定の温度Ｔｂ（Ｔｂ＞Ｔａ）に達した時点で、又は所定時間経過した時点で、前記ショートサイクルを形成することを止め、前記吹き出し口から室内へ吹き出される空気が下吹きになるように前記上下風向変更装置を前記駆動装置にて変更することを特徴とする請求項１又は請求項３記載の壁掛け式空気調和機。
【請求項６】
前記室内熱交換器の温度が所定温度Ｔａに達した時点での室温が所定温度以下の場合に前記吹き出し口から室内への送風を開始してショートサイクルを形成することを特徴とする請求項１または請求項３記載の壁掛け式空気調和機。
【請求項７】
前記吸い込み口の近傍に、室内空気温度を検出する室温サーミスタを設けたことを特徴とする請求項１又は請求項３記載の壁掛け式空気調和機。
【請求項８】
冷媒としてＨＦＣ系冷媒を用い、圧縮機の油としてアルキルベンゼン系油またはポリオールエーテル系油またはエステル系油またはテフロン系油を用いることを特徴とする請求項１又は請求項３記載の壁掛け式空気調和機。
【請求項９】
冷媒としてＨＣ系冷媒を用い、圧縮機の油としてアルキルベンゼン系油またはポリオールエーテル系油またはエステル系油またはテフロン系油を用いることを特徴とする請求項１又は請求項３記載の壁掛け式空気調和機。
【発明の詳細な説明】
【０００１】
【発明の属する技術分野】
この発明は、吹き出し口における吹き出し風の吹き出し方向を制御する壁掛け式空気調和機に関するものである。
【０００２】
【従来の技術】
図７は、例えば特開平４−２４４５４号公報に示された従来の壁掛け式空気調和機の断面側面図である。図において、１０１は風路１０２を形成するケーシング、１０３は送風機、１０４は室内熱交換器、１０５は室内熱交換器１０４よりのドレンを受ける露受け皿、１０８は吹き出し方向を上下に変えるフラップである。１０９は冷房運転カウント手段、１１０はこの冷房運転カウント手段１０９の信号により暖房運転をする暖房運転手段、１１１はこの暖房運転をショートサイクルさせるショートサイクル手段、１１２は暖房運転をカウントする暖房運転カウント手段、１１３は上記暖房運転手段１１０および暖房運転カウント手段１１２の信号によりフラップ１０８を駆動するフラップ駆動手段である。
【０００３】
次に動作について説明する。一定時間冷房運転を行った後、強制的に暖房運転状態に入るとともに、フラップ１０８を吸入口側に吹き出し気流が流れてショートサイクルさせるように動作させ、空気調和機本体を乾燥させる。
【０００４】
【発明が解決しようとする課題】
従来の壁掛け式空気調和機では、暖房運転開始時、室内熱交換器１０４の温度が低いことにより、吹き出す温風の温度上昇が遅れ、室内が設定温度に達するまでに時間がかかるという問題点があった。
【０００５】
この発明は、かかる問題点を解消するためになされたもので、暖房運転開始時の立ち上がり性が向上する壁掛け式空気調和機を得ることを目的とする。
【０００６】
【課題を解決するための手段】
この発明に係る壁掛け式空気調和機は、室内機本体と、この本体に設けられ、室内空気を吸い込む吸い込み口、及び室内熱交換器で熱交換された空気を室内へ吹き出す吹き出し口と、この吹き出し口に設けられ、吹き出し口から室内へ吹き出される空気を上下方向で異なる方向に送風可能にする上下風向変更装置と、この上下風向変更装置を駆動する駆動装置と、暖房運転開始時に吹き出し口室内へ吹き出される空気を吸い込み口に向けて送り出すように上下風向変更装置を駆動装置により駆動しショートサイクルを形成する制御手段と、を備えたものである。
【０００７】
また、上下風向変更装置は、可動可能なベーンを有するものである。
【０００８】
また、室内機本体と、この本体に設けられ、室内空気を吸い込む吸い込み口、及び室内熱交換器で熱交換された空気を室内へ吹き出す吹き出し口と、この吹き出し口に設けられ、吹き出し口から室内へ吹き出される空気を上下方向で異なる方向に送風可能にする少なくとも２枚の可動可能なベーンを有する上下風向変更装置と、この上下風向変更装置を駆動する駆動装置と、暖房運転開始時に吹き出し口室内へ吹き出される空気の一部を吸い込み口に向けて送り出すように上下風向変更装置を駆動装置により駆動しショートサイクルを形成する制御手段と、を備えたものである。
【０００９】
また、少なくとも１枚のベーンの風向角度をショートサイクルを形成する角度に設定し、他のベーンを下吹きとなる角度に設定するものである。
【００１０】
また、暖房運転開始直後は、吹き出し口から室内への送風を行わないか、もしくは上下風向変更装置の角度が下吹きにならないように制御するものである。
【００１１】
また、暖房運転開始時に、室内熱交換器の温度が所定温度Ｔａに達した時点からショートサイクルを形成するものである。
【００１２】
また、ショートサイクル形成後、室内熱交換器の温度が所定の温度Ｔｂ（Ｔｂ＞Ｔａ）に達した時点で、又は所定時間経過した時点で、ショートサイクルを形成することを止め、吹き出し口から室内へ吹き出される空気が下吹きになるように上下風向変更装置を駆動装置にて変更するものである。
【００１３】
また、暖房運転開始時に、室内熱交換器の温度が所定温度Ｔａに達した時点での室温が所定温度以下の場合にショートサイクルを形成するものである。
【００１４】
また、吸い込み口の近傍に、室内空気温度を検出する室温サーミスタを設けたものである。
【００１５】
また、冷媒としてＨＦＣ系冷媒を用い、圧縮機の油としてアルキルベンゼン系油またはポリオールエーテル系油またはエステル系油またはテフロン系油を用いるものである。
【００１６】
また、冷媒としてＨＣ系冷媒を用い、圧縮機の油としてアルキルベンゼン系油またはポリオールエーテル系油またはエステル系油またはテフロン系油を用いるものである。
【００１７】
【発明の実施の形態】
実施の形態１．
以下、この発明の実施の形態１を図面を参照して説明する。
図１〜３，５は実施の形態１を示す図で、ショートサイクル機構を備えた壁掛け式空気調和機の側面図、図２は暖房運転開始時における制御動作のフローチャート、図３は壁掛け式空気調和機のショートサイクル形成時の側面図、図５は壁掛け式空気調和機の下吹き時の側面図である。
【００１８】
壁掛け式空気調和機の室内機の構成を説明する。図１において、１は送風機、２はこの送風機１を構成する横流ファン、３は環状の通風路４を有し横流ファン２を収納するケーシング、５はケーシング３の通風路４の終端に設けた左右風向ベーン、６，７は上下風向変更装置の一例の上下ベーンであり、左右風向ベーン５、上下ベーン６，７はそれぞれ図示しない駆動装置により吹き出し風向を制御できる。８は吸い込み口の近傍に設けられた室温を検知する室温サーミスタである。上下ベーン６，７の枚数は２枚に限定されない。
【００１９】
次に動作について説明する。
図２のフローチャートにおいて、暖房運転を開始する圧縮機起動時（ステップ２０）は、室内熱交換器の温度Ｔｃは低いので冷風感を排除するため、送風を行わないか、もしくは上下ベーン６，７の角度が下吹きにならないように制御する（ステップ２１）。
【００２０】
室内熱交換器の温度Ｔｃが上昇し、ある温度Ｔａに達した時点（ステップ２２）でステップ２３に移行し、上下ベーン６，７の風向角度が、図３に示すようにショートサイクルを形成する角度に設定する。これにより、吹き出し口から吹き出される温風を吸い込み口へ送り出して室内熱交換器で再加熱させることで、室内熱交換器の温度をより早く上昇させることが可能となる。
【００２１】
更にステップ２４で室内熱交換器の温度Ｔｃがある温度Ｔｂ（Ｔｂ＞Ｔａ）に達した時点、またはショートサイクルを形成してからの時間Ｔｓｈがある時間Ｔｊに達した時点でショートサイクルを形成することを止め、図５に示すように吹き出し口から吹き出される風を全て下吹き風になるように上下ベーン６，７を変更する。
【００２２】
上述の実施の形態によれば、室内熱交換器で熱交換された空気を吹き出す吹き出し口に設けられ吹き出される風を異なる方向に送風可能にする上下ベーン６，７と、この上下ベーン６，７を各々独立に駆動する駆動装置とを備え、暖房運転開始時当初では、吹き出し口より吹き出される風を吸い込み口に向けて送り出すショートサイクルを形成し、定常運転状態では吹き出し口から吹き出される風を全て下吹きに送り出すよう上下ベーン６，７の角度を駆動装置にて変えるようにしたので、定常運転状態に入るまでの時間が短縮でき、暖房運転の際の室温立ち上がりが非常に早くできるという効果が得られる。
【００２３】
実施の形態２．
以下、この発明の実施の形態２を図面を参照して説明する。
図４は実施の形態２を示す図で、ショートサイクルを形成するときの他の例を示す室内機ユニット側面図である。
実施の形態２においては、上下ベーンは少なくとも２枚必要である。
暖房運転開始当初の動作を示すフローチャートは図２の通りであり、暖房運転を開始する圧縮機起動時（ステップ２０）は、室内熱交換器の温度Ｔｃは低いので冷風感を排除するため、送風を行わないか、もしくは上下ベーン６，７の角度が下吹きにならないように制御する（ステップ２１）。
【００２４】
室内熱交換器の温度Ｔｃが上昇し、ある温度Ｔａに達した時点（ステップ２２）でステップ２３に移行し、図４に示すように上下ベーン６の風向角度をショートサイクルを形成する角度に設定し、上下ベーン７は下吹きとなる角度にする。これにより、吹き出し口から吹き出される温風の一部を吸い込み口へ送り出して室内熱交換器で再加熱させるので、上下ベーン７の設定角度により、強制的に下吹き方向へ吹き出し温度を高くした温風を送風することが可能となる。
【００２５】
更にステップ２４で室内熱交換器の温度Ｔｃがある温度Ｔｂ（Ｔｂ＞Ｔａ）に達した時点、またはショートサイクルを形成してからの時間Ｔｓｈがある時間Ｔｊに達した時点でショートサイクルを形成することを止め、図５に示すように吹き出し口から吹き出される風を全て下吹き風になるように上下ベーン６を変更する。
【００２６】
上述の実施の形態によれば、室内熱交換器で熱交換された空気を吹き出す吹き出し口に設けられ吹き出される風を異なる方向に送風可能にする上下ベーン６，７と、この上下ベーン６，７を各々独立に駆動する駆動装置とを備え、暖房運転開始時当初では、上下ベーン６の風向角度をショートサイクルを形成する角度に設定し、上下ベーン７は下吹きとなる角度にすることにより、吹き出し口より吹き出される風の一部を吸い込み口に向けて送り出すショートサイクルを形成し、定常運転状態では吹き出し口から吹き出される風を全て下吹きに送り出すよう上下ベーン６の角度を駆動装置にて変えるようにしたので、暖房運転開始時当初から十分に高温風を下側へ吹き出すことができ、暖房運転の際の室温の立ち上がりが非常に早くできるという効果が得られる。
【００２７】
実施の形態３．
以下、この発明の実施の形態３を図面を参照して説明する。
図６は実施の形態３を示す図で、暖房運転開始時における制御動作のフローチャートである。
図のステップ２２ａに示すように、上記実施の形態１における図２のステップ２２で示した室内熱交換器の温度Ｔｃがある温度Ｔａに達することと、更にその時点での室温Ｔｈがある温度Ｔｇ以下の時に、ステップ２３に移行しショートサイクルを形成するようにする。
【００２８】
このように、ショートサイクルに移行する際の条件に室温条件を追加することで、室温サーミスタの取り付け位置がショートサイクルを形成する吸い込み口の近傍にあると、室温サーミスタ温度はショートサイクルにより実室温以上に上昇し、室温が高い時点でショートサイクルを行うと設定温度と室温サーミスタとの差が無くなり、圧縮機が停止する可能性がある。室温がある温度以下の時にショートサイクルを形成するという条件を入れることで、設定温度と室温サーミスタとの温度差を確保し、圧縮機が停止するのを防ぐことができる。
【００２９】
実施の形態４．
この発明の実施の形態４における壁掛け式空気調和機は、上記実施の形態１〜３において、冷媒としてＨＦＣ系冷媒例えばＲ４１０ＡまたはＲ４０７ＣまたはＲ３２を用いた。
また、圧縮機の油としてアルキルベンゼン系油またはポリオールエーテル系油またはエステル系油またはテフロン系油を用いた。
【００３０】
上述の実施の形態によれば、ＨＦＣ系冷媒を用いるものとしたから、冷媒量を減らせ、安全かつ簡単構造で環境にやさしくリサイクル性が良くなる。また、冷媒圧損が下がって立ち上がり特性の向上が見込める。
【００３１】
実施の形態５．
この発明の実施の形態５における壁掛け式空気調和機は、上記実施の形態１〜３において、冷媒としてＨＣ系冷媒例えばＲ５０、Ｒ１７０、Ｒ２９０、Ｒ６００、Ｒ６００ａ、Ｒ１１５０、Ｒ１２７０を用いた。
また、圧縮機の油としてアルキルベンゼン系油またはポリオールエーテル系油またはエステル系油またはテフロン系油を用いた。
【００３２】
上述の実施の形態によれば、ＨＣ系冷媒を用いるものとしたから、冷媒量を減らせ、安全かつ簡単構造で環境にやさしくリサイクル性が良くなる。また、冷媒圧損が下がって立ち上がり特性の向上が見込める。
【００３３】
上記実施の形態１〜５において新たに部品を追加することなく気流制御方法の変更だけとし、また、実施の形態４、５において冷媒変更に伴い使用冷媒量の削減が可能となるので、壁掛け式空気調和機のリサイクル性が向上する。
【００３４】
【発明の効果】
この発明に係る壁掛け式空気調和機は、暖房運転開始時に吹き出し口室内へ吹き出される空気を吸い込み口に向けて送り出すように上下風向変更装置を駆動装置により駆動しショートサイクルを形成するようにしたので、定常運転状態に入るまでの時間が短縮でき、暖房運転の際の室温立ち上がりが非常に早くできるという効果が得られる。
【００３５】
また、室内機本体と、暖房運転開始時に吹き出し口室内へ吹き出される空気の一部を吸い込み口に向けて送り出すように上下風向変更装置を駆動装置により駆動しショートサイクルを形成するようにしたので、暖房運転開始時当初から十分に高温風を下側へ吹き出すことができ、暖房運転の際の室温の立ち上がりが非常に早くできるという効果が得られる。
【００３６】
また、暖房運転開始直後は、吹き出し口から室内への送風を行わないか、もしくは上下風向変更装置の角度が下吹きにならないように制御するので、暖房運転開始時の冷風感を排除できる。
【００３７】
また、暖房運転開始時に、室内熱交換器の温度が所定温度Ｔａに達した時点からショートサイクルを形成するので、室内熱交換器の温度をより早く上昇させることが可能となる。
【００３８】
また、ショートサイクル形成後、室内熱交換器の温度が所定の温度Ｔｂ（Ｔｂ＞Ｔａ）に達した時点で、又は所定時間経過した時点で、ショートサイクルを形成することを止め、吹き出し口から室内へ吹き出される空気が下吹きになるように上下風向変更装置を駆動装置にて変更するので、定常運転状態に入るまでの時間が短縮でき、暖房運転の際の室温立ち上がりが非常に早くできるという効果が得られる。
【００３９】
また、暖房運転開始時に、室内熱交換器の温度が所定温度Ｔａに達した時点での室温が所定温度以下の場合にショートサイクルを形成するので、設定温度と室温との温度差を確保し、圧縮機が停止するのを防ぐという効果がある。
【００４０】
また、ＨＦＣ系またはＨＣ系の冷媒を用いることにより、冷媒量を減らせ、安全かつ簡単構造で環境にやさしくリサイクル性が良くなる。また、冷媒圧損が下がって立ち上がり特性の向上が見込める。
【図面の簡単な説明】
【図１】  実施の形態１を示す図で、壁掛け式空気調和機の側面図である。
【図２】  実施の形態１を示す図で、暖房運転開始時における制御動作のフローチャート図である。
【図３】  実施の形態１を示す図で、壁掛け式空気調和機のショートサイクル形成時の側面図である。
【図４】  実施の形態２を示す図で、壁掛け式空気調和機のショートサイクル形成時の側面図である。
【図５】  実施の形態１を示す図で、壁掛け式空気調和機の下吹き時の側面図である。
【図６】  実施の形態３を示す図で、暖房運転開始時における制御動作のフローチャート図である。
【図７】  従来の壁掛け式空気調和機の断面側面図である。
【符号の説明】
１  送風機、２  横流ファン、３  ケーシング、４  通風路、５  左右風向ベーン、６  上下ベーン、７  上下ベーン、８  室温サーミスタ。
【図１】
0004073585.tif 000002
【図２】
0004073585.tif 000003
【図３】
0004073585.tif 000004
【図４】
0004073585.tif 000005
【図５】
0004073585.tif 000006
【図６】
0004073585.tif 000007
【図７】
0004073585.tif 000008